(57)【要約】【課題】バルブの外側表面を清潔に維持することができる蛇口を提供する。【解決手段】バルブ軸２１の上端にノブ２３を有し、蛇口本体１に設けたバルブ２を備え、ノブを正逆回動操作してバルブ軸を前進・後退することにより、蛇口本体の導入通路１１と送出通路１２を区画する隔壁１４に設けた弁座口１３を開口・閉塞する蛇口において、バルブは、送出通路内とバルブ軸の上端との間を連通する分岐通路５０と、この通路５０の上端部とノブの上面２３ａとの間を連通する誘導通路６０とを備え、弁座口を開口した際に、導入通路から送出通路へ供給される水の一部を分岐通路及び誘導通路を通じてノブの上面中央部からノブの上面周囲へ流出させるように構成する。【選択図】図２
0003184102.tif 000002
【実用新案登録請求の範囲】
【請求項１】
蛇口本体と、この蛇口本体に設けたバルブとを備え、
前記蛇口本体は、導入通路と、送出通路と、弁座口を有し、前記両通路を区画する隔壁と、前記送出通路と連通して設けたネジ筒部とを備え、
前記バルブは、前記ネジ筒部に気密性を保持して螺合して設けたバルブ軸と、この軸の上端にネジ部材により固定して設けたノブとを備え、
前記ノブを正逆回動操作して前記バルブ軸を前進・後退することにより前記弁座口を開口・閉塞する蛇口において、
前記バルブは、前記送出通路内と前記バルブ軸の上端との間を連通する分岐通路と、この通路の上端部と前記ノブの上面との間を連通する誘導通路とを備え、前記弁座口を開口した際に、前記導入通路から送出通路へ供給される水の一部を前記分岐通路及び誘導通路を通じて前記ノブの上面中央部から前記ノブの上面周囲へ流出させるように構成した
ことを特徴とする蛇口。
【請求項２】
前記分岐通路は、前記バルブ軸の中心部に、前記ネジ部材のネジ孔と連通させて軸方向に向けて設けた第１の孔と、この孔と連通させると共に前記送出通路内に開口して設けた第２の孔と、前記ネジ部材のネジ棒の外周面における先端から基端部にかけて設けた任意数の凹溝とを含んで構成され、
前記誘導通路は、前記ノブの上面中央部近くの部位に当接する外周縁を有する円形皿状に形成した部材の中心に前記ネジ棒を挿入可能なネジ挿入孔を設けると共に外周縁に任意数の水流出用切欠部を有し、前記バルブ軸の上端面との間に空隙部を形成して前記ノブの上面と前記ネジ部材の頭部との間に介装して設けた水誘導用のスペーサ部材を含んで構成されている
ことを特徴とする請求項１に記載の蛇口。
【請求項３】
請求項２に記載の蛇口において、前記分岐通路は、前記凹溝に代え、前記ネジ棒の中心部に、前記ネジ棒の先端から基端部にかけて設けた中心孔と、この孔と連通させると共に前記ネジ棒の基端部における外周面に開口して設けた連通孔とを含んで構成されていることを特徴とする蛇口。
【請求項４】
前記分岐通路は、前記バルブ軸の中心部に、前記ネジ部材のネジ孔と連通させて軸方向に向けて設けた第１の孔と、この孔と連通させると共に前記送出通路内に開口して設けた第２の孔と、前記ネジ部材のネジ棒の外周面における先端から基端部にかけて設けた任意数の凹溝とを含んで構成され、前記誘導通路は、前記ネジ部材の頭部の下面に、前記ネジ棒の外周部側から前記頭部の外周縁にかけて放射状に設けた任意数の凹溝とを含んで構成されていることを特徴とする請求項１に記載の蛇口。
【請求項５】
請求項４に記載の蛇口において、前記分岐通路は、前記凹溝に代え、前記ネジ棒の中心部に、前記ネジ棒の先端から基端部にかけて設けた中心孔と、この孔と連通させると共に前記ネジ棒の基端部における外周面に開口して設けた連通孔とを含んで構成されていることを特徴とする蛇口。
【考案の詳細な説明】
【技術分野】
【０００１】
本考案は、水道などの蛇口に関する。さらに詳しくは、使用時にバルブのノブを正逆回動操作する蛇口に関する。本発明の蛇口は例えば、特に飲食店や旅館、或いは公園等のように不特定多数の人間が使用するトイレ用に最適である。
【背景技術】
【０００２】
従来のこの種蛇口は、一般に、バルブのノブを手で正逆回動操作してバルブ軸を前進・後退して蛇口本体の弁座口を開口することにより蛇口本体の水出口から水を流出させ、また、弁座口を閉塞することにより水の流出を停止させるように構成してある（例えば、特許文献１〜２参照）。
【０００３】
上記のように構成した従来の蛇口を、例えば飲食店その他の不特定多数の人間が使用するトイレ用の蛇口として使用した場合には次のような問題を有している。
即ち、トイレを使用する場合、用を足した後、蛇口のバルブのノブを手で回動して水を蛇口本体の水出口から水を流出して手で洗浄し、洗浄後に前記ノブを手で回動して水の流出を停止している。このように、用を足した後、手を洗浄する前にノブを手で回動するため、ノブの外側表面には病原菌その他の雑菌等が付着する問題が発生する。
【０００４】
雑菌等が付着しているノブを手で回動して流水すると、手が雑菌等で汚染するが、水出口から流出している水で手を洗浄することにより、手に付着している雑菌等は洗い落とすことができる。
しかるに、従来は上述したように、手を洗浄した後、ノブ（ノブには雑菌等が付着している）を手で回動して止水するため、折角洗浄した手が雑菌等で再び汚染する恐れが生じる。
【先行技術文献】
【特許文献】
【０００５】
【特許文献１】特開２００７−４６３５０号公報
【特許文献２】特開２００２−２１２９８８号公報
【考案の概要】
【考案が解決しようとする課題】
【０００６】
本考案は上記のような実情に鑑みてなされたもので、バルブのノブの外側表面を常時清潔に維持することができる蛇口を提供することを目的とするものである。
【課題を解決するための手段】
【０００７】
上記目的を達成するため、本考案のうち１つの考案（第１の考案）は、蛇口本体と、この蛇口本体に設けたバルブとを備え、
前記蛇口本体は、導入通路と、送出通路と、弁座口を有し、前記両通路を区画する隔壁と、前記送出通路と連通して設けたネジ筒部とを備え、
前記バルブは、前記ネジ筒部に気密性を保持して螺合して設けたバルブ軸と、この軸の上端にネジ部材により固定して設けたノブとを備え、
前記ノブを正逆回動操作して前記バルブ軸を前進・後退することにより前記弁座口を開口・閉塞する蛇口において、
前記バルブは、前記送出通路内と前記バルブ軸の上端との間を連通する分岐通路と、この通路の上端部と前記ノブの上面との間を連通する誘導通路とを備え、前記弁座口を開口した際に、前記導入通路から送出通路へ供給される水の一部を前記分岐通路及び誘導通路を通じて前記ノブの上面中央部から前記ノブの上面周囲へ流出させるように構成したことを特徴とする。なお、本考案において、「ノブ」とは、ハンドルや回動用ホイール等を含む広い概念として用いられている。
【０００８】
上記のように構成すると、ノブを例えば左（逆）回動して弁座口を開口すると、水は導入通路から送出通路へ供給されて水出口から連続して流出し、この水で手を洗浄する。一方、導入通路から送出通路内へ供給される水の一部は分岐通路へ導入されて誘導通路に達し、誘導通路によって誘導されてノブの上面中央部からノブの上面（外側表面）周囲へ連続して流出するので、この流出水によりノブの外側表面に付着している雑菌等は洗い落とされて、きれいに洗浄される。そして、ノブを右（正）回動して弁座口を閉塞して導入通路から送出通路への水の供給を停止すると、水出口からの水の流出は止まると共にノブの上面への水の流出も止まる。
上記のように、本考案によれば、蛇口本体の水出口から水を流出している間中、水の一部は送出通路内で分岐してノブの上面中央部からノブの上面周囲へ流出してノブの外側表面を洗浄する。
【０００９】
本考案のうち、他の１つの考案（第２の考案）は、第１の考案の蛇口において、前記分岐通路は、前記バルブ軸の中心部に、前記ネジ部材のネジ孔と連通させて軸方向に向けて設けた第１の孔と、この孔と連通させると共に前記送出通路内に開口して設けた第２の孔と、前記ネジ部材のネジ棒の外周面における先端から基端部にかけて設けた任意数の凹溝とを含んで構成され、
前記誘導通路は、前記ノブの上面中央部近くの部位に当接する外周縁を有する円形皿状に形成した部材の中心に前記ネジ棒を挿入可能なネジ挿入孔を設けると共に外周縁に任意数の水流出用切欠部を有し、前記バルブ軸の上端面との間に空隙部を形成して前記ノブの上面と前記ネジ部材の頭部との間に介装して設けた水誘導用のスペーサ部材を含んで構成されていることを特徴とする。
【００１０】
本考案のさらに他の１つの考案（第３の考案）は、第２の考案の蛇口において、前記分岐通路は、前記凹溝に代え、前記ネジ棒の中心部に、前記ネジ棒の先端から基端部にかけて設けた中心孔と、この孔と連通させると共に前記ネジ棒の基端部における外周面に開口して設けた連通孔とを含んで構成されていることを特徴とする。
【００１１】
本考案のさらに他の１つの考案（第４の考案）は、第４の考案の蛇口において、前記分岐通路は、前記バルブ軸の中心部に、前記ネジ部材のネジ孔と連通させて軸方向に向けて設けた第１の孔と、この孔と連通させると共に前記送出通路内に開口して設けた第２の孔と、前記ネジ部材のネジ棒の外周面における先端から基端部にかけて設けた任意数の凹溝とを含んで構成され、前記誘導通路は、前記ネジ部材の頭部の下面に、前記ネジ棒の外周部側から前記頭部の外周縁にかけて放射状に設けた任意数の凹溝とを含んで構成されていることを特徴とする。
【００１２】
本考案のさらに他の１つの考案（第４の考案）は、第５の考案の蛇口において、前記分岐通路は、前記凹溝に代え、前記ネジ棒の中心部に、前記ネジ棒の先端から基端部にかけて設けた中心孔と、この孔と連通させると共に前記ネジ棒の基端部における外周面に開口して設けた連通孔とを含んで構成されていることを特徴とする。
【考案の効果】
【００１３】
本考案によれば、ノブを回動して蛇口本体の水出口から水を流出すると、水の一部は送出通路内で分岐してノブの上面中央部からノブの上面周囲へ流出してノブの外側表面を洗浄する。したがって、水出口から水を流出するごとにノブの外側表面は水で洗浄されるので、ノブの外側表面を常時清潔に維持することができる。また、既設の蛇口の蛇口本体はそのまま使用し、バルブだけを交換することにより組立てることができる。
【図面の簡単な説明】
【００１４】
【図１】本考案の一実施の形態の蛇口の構成を概略的に示す縦断面図である。
【図２】図１の蛇口の弁座口を開口し、水の流れる状態を示す説明図であって、同図（ａ）は全体構成を概略的に示す説明図、同図（ｂ）は一部を拡大し、その構成を概略的に示す説明図である。
【図３】図１の蛇口に採用されているバルブのバルブ軸を示すものであって、同図（ａ）はバルブ軸の構成を概略的に示す一部を断面とした側面図、同図（ｂ）は同図（ａ）のＡ−Ａ線拡大断面図、同図（ｃ）は同図（ａ）のＢ−Ｂ線拡大断面図である。
【図４】図１の蛇口に採用したネジ部材を示すものであって、同図（ａ）は前記ネジ部材の構成を概略的に示す側面図、同図（ｂ）は同図（ａ）のＣ−Ｃ線拡大断面図である。
【図５】図１の蛇口に採用した水誘導用のスペーサ部材を示すものであって、同図（ａ）は前記スペーサ部材の構成を概略的に示す平面図、同図（ｂ）は同図（ａ）のＤ−Ｄ線断面図である。
【図６】本考案の他の実施の形態の蛇口を示すものであって、同図（ａ）は要部の一部の構成を概略的に示す縦断面図、同図（ｂ）は図６の蛇口に採用されているネジ部材の構成を概略的に示す縦断面図、同図（ｃ）は同図（ｂ）のＥ−Ｅ線拡大断面図である。
【図７】本考案のさらに他の実施の形態の要部の一部を示すものであって、同図（ａ）はネジ部材の構成を概略的に示す側面図、同図（ｂ）は同じく底面図、同図（ｃ）は前記ネジ部材の構成を概略的に示す縦断面図、同図（ｄ）は同図（ｃ）のＦ−Ｆ線拡大断面図である。
【考案を実施するための形態】
【００１５】
以下、図面を参照して本考案の実施の形態一例を説明する。
【００１６】
図１ないし図５は本考案の一実施形態の蛇口を示す。これら図１ないし図５に示すように、この実施形態（実施の形態１）の蛇口は、蛇口本体１と、この蛇口本体１に設けたバルブ２とを備える。
【００１７】
蛇口本体１は、導入通路１１と、この通路１１と連接して設けた送出通路１２と、弁座口１３を有し、前記両通路１１及び１２を区画する隔壁１４と、送出通路１２とを連通して、図１において上方へ突出して設けたネジ筒部１５とを備えている。
【００１８】
前記導入通路は、基端（図１において左端）に水入口１６を備え、基端部を水道管（図示せず）等の水供給源に接続し、水道管等の水供給源側からの水が導入される。１７は導入通路の基端部側の突設したフランジを示す。
【００１９】
前記送出通路１２は先端側を、図１において下方により折り曲げて、その先端（下端）に水出口１８を備えている。これにより、弁座口１３が開口しているときは、水供給源側から導入通路に導入された水道水等の水は弁座口１３を通って送出通路に供給され、水出口から流出するようになっている。
【００２０】
前記ネジ筒部１５は適当な径及び長さに形成され、上端は開口されていると共に内周壁面に雌ネジ１９が形成されている。
【００２１】
前記バルブ２は、バルブ軸２１と、このバルブ軸２１の上端にネジ部材２２により固定して設けたノブ２３とを備えている。ネジ部材２２はネジ棒２２ａと頭部２２ｂとを備えて構成されている。
【００２２】
前記バルブ軸２１は、下端に設けた押え用フランジ２４と、このフランジ２４と適当な距離（間隔）を存し、前記軸２１の下半部側に位置させて形成され、前記ネジ筒部１５の雌ネジ１９と螺合する雄ネジ部２５と、前記軸２１の上端に軸方向に向けて形成され、前記ネジ部材２２のネジ棒２２ａを螺合するネジ孔２６とを備えている。前記ネジ孔２６はネジ棒２２ａの長さより多少長く形成されている。前記バルブ軸２１の前記フランジ２４の下面には、ゴム材その他の弾性材で構成され、弁座口１３を開口・閉塞する開閉用弁板２７がネジ２８により固定して設けてある。
【００２３】
前記バルブ軸２１は、ネジ筒部１５に雄ネジ部２５を螺合すると共に気密性を保持して設けてある。この実施の形態１では、ネジ筒部１５の上端に金属製の円板２９とゴム製等の円形パッキング３０を設け、その上からネジキャップ３１をネジ筒部１５の上端に嵌合螺着し、ネジキャップ３１を締め付けてある。
前記円板２９、円形パッキング３０及びネジキャップ３１の天板の中心部にはバルブ軸２１を挿通する挿通孔（符号は省略）が設けてあり、前記軸２１は前記各部材の挿通孔に貫通させてある。これにより、バルブ軸２１は気密性を保持して設けられている。そして、ノブ２３によりバルブ軸２１を正逆回動することによりバルブ軸２１を前進・後退させ、弁板２７により弁座口１３を開口・閉塞するように構成してある。
【００２４】
前記バルブ軸２１の上端部の外周面には、軸方向に向けて形成した適当な長さのローレット状の凹凸条３２（図３（ｂ）参照）が設けてあると共に凹凸条３２の下端部に位置させて形成した環状の係合用段部３３が設けてある。
【００２５】
前記ノブ２３の中心部には適当な大きさの孔４１（図２（ｂ）等参照）が形成されている。前記ノブ２３は、前記孔４１の孔縁から下方に垂下突設され、前記軸２１の上端部に嵌合する適当な長さの嵌合筒４２を備えている。
前記嵌合筒４２は上下端が開口されていると共に前記凹凸条３２と係合するローレット状の係合用凹凸部（図示せず）を備えている。これにより、嵌合筒４２は前記軸２１に対して互いに回転不能、即ち、前記軸２１と一体的に回転させるように嵌合するように構成されている。なお、前記嵌合筒４２は、その下端を前記軸２１の前記段部３３に当接して嵌合するようになっている。
【００２６】
そして、ノブ２３は嵌合筒４２をバルブ軸２１の上端に嵌合し、ネジ部材２２で軸２１に固定するように構成されている。なお、実施の形態１では後述する水誘導用のスペーサ部材６４をネジ部材２２の頭部２２ｂとノブ２３の上面２３ａ（外側表面）との間に介装してネジ部材２２で締め付けて固定するように構成されている。これにより、ノブ２３を正逆回動操作することにより、バルブ軸２１は同調して回転し、前進・後退するようになっている。
【００２７】
前記バルブ２は、蛇口本体１の送出通路１２内と前記バルブ軸２１の上端との間を連通する分岐通路５０と、この通路５０の上端部と前記ノブの上面２３ａとの間を連通する誘導通路６０とを備えている。そして、弁座口１３を開口した際に、導入通路１１から送出通路１２へ供給される水の一部を分岐通路５０及び誘導通路６０を通じてノブ２３の上面２３ａ（外側表面）の中央部からノブ２３の上面周囲へ流出させるように構成されている。
【００２８】
実施の形態１の分岐通路５０は、バルブ軸２１の中心部に、前記ネジ孔２６と連通させて軸方向へ向けて設けた第１の孔５１と、この孔５１と連通させると共に送出通路１２内に開口して設けた第２の孔５２と、ネジ部材２２のネジ棒２２ａの外周面における先端から基端部にかけて設けた任意数の凹溝５３と含んで構成されている。実施の形態１では図４ｂに詳細に示すように、前記凹溝５３を四本設けた例が開示されている。この場合、凹溝５３の本数は任意に増減可能なものである。なお、凹溝５３はネジ棒２２ａのネジ作用に支障がないように形成する。
【００２９】
また、実施の形態１の誘導通路６０は、ノブ２３の上面中央部近くの部位に当接する外周縁を有する円形皿状に形成した部材６１の中心にネジ棒２２ａを挿入可能なネジ挿入孔６２（図５参照）を設けると共に部材６１の外周縁に任意数の水流出用切欠部６３を有し、バルブ軸２１の上端面との間に空隙部６４を形成してノブ２３の上面２３ａとネジ部材２２の頭部２２ｂとの間に介装して設けた水誘導用のスペーサ部材６５を含んで構成されている。そして、前記空隙部６４と切欠部６３とで誘導通路６０が形成されている。
前記スペーサ部材６５の大きさはノブ２３の前記孔４１の径より幾分大径に形成されている。また、前記切欠部６３を設ける数量は適当に決定する。また、実施の形態１では、図５に詳細に示すように、前記切欠部６３を１２個設けた例が開示されている。この場合、切欠部６３の数量は任意に増減可能なものである。
前記スペーサ部材６５はノブ２３の上面と頭部２２ｂとの間に介装し、ネジ部材２２で締付けてノブ２３と一緒にバルブ軸２１に固定して設けてある。
【００３０】
実施の形態１の蛇口は上記のように構成したもので、次に使用方法及び作用効果等について説明する。図１の状態においては弁座口１３は弁板２７で閉塞されている。この状態からノブ２３を左方向（逆時計方向）へ回動すると、バルブ軸２１は後退するので弁座口１３は開口する。
弁座口１３が開口すると、図２に示すように、水道水等の水は導入通路１１から弁座口１３を通って送出通路１２へ供給されて水出口１８から流出し、この水で従来と同様に手等を洗浄することができる。一方、導入通路１１から送出通路１２内へ供給される水の一部は図２に示すように、送出通路１２内で分岐し、第２の孔５２から第１の孔５１へ導入され、凹溝５３を通って空隙部６４内へ入り、各切欠部６３からノブ２３の上面（外側表面）周囲へ連続して流出する。したがって、前記流出水によりノブ２３の外側表面に付着している雑菌等は洗い落とされてきれいに洗浄される。なお、送出通路１２内において分岐した水は凹溝５３の上端から上方へ飛び散ることなく、キャップ６５に案内されて各切欠部６３からノブ２３の上面２３ａに沿って流出する。そして、ノブ２３を右方向（時計方向）へ回動して弁座口１３を閉塞して導入通路１１から送出通路１２への水の供給を停止すると、水出口１８からの水の流出は止まると共にノブの上面への水の流出も停止する。
【００３１】
上記のように、実施の形態１の蛇口によれば、蛇口本体１の水出口１８から水を流出している間中、水の一部を送出通路１２内で分岐してノブ２３の上面中央部からノブ２３の上面周囲へ流出してノブ２３の外側表面を洗浄する。したがって、ノブの外側表面を常時清潔に維持することができる。また、実施の形態１の蛇口は、既設の蛇口の蛇口本体はそのまま使用し、バルブ２だけを交換して組み立てることにより製造することができる。なお、バルブ２を交換する際には、水道管等の元栓（図示せず）を閉めて作業する。
【００３２】
図６は本考案の他の実施の形態（実施の形態２）の蛇口を示すものである。この蛇口において、実施の形態１で既に説明した構成と共通する構成部等には同一符号を付して説明を省略する。実施の形態２の蛇口は分岐通路の構成に特徴がある。
【００３３】
実施の形態２の蛇口は、実施の形態１の前記分岐通路５０の前記凹溝５３に代え、ネジ棒２２ａの中心部に、ネジ棒２２ａの先端から基端部にかけて設けた中心孔５４と、この孔５４と連通させると共にネジ棒２２ａの基端部における外周面に開口して設けた連通孔５５とを含んで構成したことを特徴とするものである。他の構成は実施の形態１と同様である。
実施の形態２の蛇口は、第２の孔５２から第１の孔５１へ導入された水は、中心孔５４を通って連通孔５５から空隙部６４内へ入り、各切欠部６３からノブ２３の上面周囲へ連続して流出し、実施の形態１と同様に、前記流出水によりノブ２３の外側表面をきれいに洗浄する。
【００３４】
実施の形態２の蛇口は、上記のように構成され、実施の形態１の蛇口と同様に使用するものであり、実施の形態１と同様の作用効果を奏する。
【００３５】
図７は本考案のさらに他の実施の形態（実施の形態３）の要部の一部を示すものである。実施の形態３の蛇口は分岐通路及び誘導通路の構成に特徴がある。
【００３６】
実施の形態３の蛇口は、実施の形態１の前記分岐通路５０の前記凹溝５３に代え、実施の形態２と同様に、ネジ棒２２ａの中心部に、ネジ棒２２ａの先端から基端部にかけて設けた中心孔５４Ａと、この孔５４Ａと連通させると共にネジ棒２２ａの基端部における外周面に開口して設けた連通孔５５Ａとを含んで構成されている。
【００３７】
また、実施の形態３の蛇口は、実施の形態１の前記スペーサ部材を省略してある。そして、実施の形態３の蛇口の前記誘導通路６０は、ネジ部材２２の頭部２２ｂの下面に、ネジ棒２２ａの外周部側から頭部２２ｂの外周縁にかけて放射状に設けた任意数の凹溝６６とを含んで構成されている。実施の形態３のネジ部材２２は頭部２２ｂの下面をノブ２３の上面２３ａに直接当接し、その状態でバルブ軸２１にネジ棒２２ａを螺合してノブ２３を前記軸２１にするように構成してある。この場合、頭部２２ｂの下面をノブ２３の上面に直接当接しても、頭部２２ｂの下面とノブ２３の上面２３ａ間には前記各凹溝６６により水流通路が形成される。他の構成は実施の形態１と同様である。
【００３８】
実施の形態３の蛇口は、第２の孔５２から第１の孔５１へ導入された水は、中心孔５４Ａを通って連通孔５５Ａから流出し、各凹溝６６を通ってノブ２３の上面周囲へ連続して流出し、実施の形態１と同様に前記流出水によりノブ２３の外側表面をきれいに洗浄する。なお、実施の形態３の蛇口においても、送出通路１２内で分岐して分岐通路５０に導入された水は通路５０の上端から上方へ飛び散ることなく、頭部２２の誘導通路６０（各凹溝６６）に案内されてノブ２３の上面２３ａに沿って流出する。
【００３９】
実施の形態３の蛇口は、上記のように構成され、実施の形態１と同様に使用するもので、これにより実施の形態１と同様の作用効果を奏する。
【００４０】
なお、本考案においては、図７の実施の形態３の蛇口において、前記分岐通路５０の前記中心孔５４Ａ及び連通孔５５Ａに代え、実施の形態１と同様にネジ部材２２のネジ棒２２ａの外周面における先端から基端部にかけて任意数の凹溝５３を設ける構成（実施の形態４）を採用することもできる。この実施の形態４の構成を採用した蛇口によっても実施の形態１と同様の作用効果を奏する。
【００４１】
また、上記した各実施の形態の蛇口は一例として開示したもので、本考案は上記の実施の形態に限定されるものではなく、実用新案登録請求の範囲に記載の技術思想を越脱しない範囲内において任意に変更可能なものである。
【符号の説明】
【００４２】
１        蛇口本体
２        バルブ
１１      導入通路
１２      送出通路
１３      弁座口
１４      隔壁
２１      バルブ軸
２３      ノブ
２３ａ    上面
５０      分岐通路
６０      誘導通路
【図１】
0003184102.tif 000003
【図２】
0003184102.tif 000004
【図３】
0003184102.tif 000005
【図４】
0003184102.tif 000006
【図５】
0003184102.tif 000007
【図６】
0003184102.tif 000008
【図７】
0003184102.tif 000009